(57)【要約】【課題】携帯端末による電話発信において，利用者の記憶に直結しやすい情報を用いて，簡単に電話発信を行うことが可能となる技術を提供する。【解決手段】携帯端末１００において，画像登録処理部１０４は，カメラ１２０で撮影された画像に利用者から指定された電話番号を関連付けて，カメラ機能発信電話帳１０５に登録する。利用者がカメラ１２０で画像を写した状態で入力キー１４０により電話発信の操作を行うと，画像撮影処理部１０１は，カメラ１２０から画像を取得する。画像比較処理部１０６は，取得された画像と，カメラ機能発信電話帳１０５にあらかじめ登録された各画像とを比較照合し，一致するとされた画像が存在する場合には，その画像に対応付けられた電話番号を取得する。取得された電話番号への発信を行う。【選択図】図１
2008113261.tif 000002
【特許請求の範囲】
【請求項１】
カメラ機能を備えた携帯端末であって，
あらかじめ登録された登録画像と電話番号とを対応付けて記憶する手段と，
利用者の入力操作により電話発信の指示を受けたときに，前記カメラ機能によって取り込まれた撮像画像を記憶する手段と，
利用者の入力操作により電話発信の指示を受けたときに，前記撮像画像と前記登録画像とを比較照合し，前記撮像画像と一致する登録画像が存在する場合に，その登録画像に対応する電話番号を取得する手段と，
前記取得された電話番号で電話発信を行う手段を備える
ことを特徴とする画像による電話発信機能付き携帯端末。
【請求項２】
カメラ機能を備えた携帯端末であって，
あらかじめ登録された登録画像と電話番号とを対応付けて記憶する手段と，
利用者の入力操作により画像撮影の指示を受けたときに，前記カメラ機能によって取り込まれた撮像画像を記憶する手段と，
利用者の入力操作により電話発信の指示を受けたときに，前記撮像画像と前記登録画像とを比較照合し，前記撮像画像と一致する登録画像が存在する場合に，その登録画像に対応する電話番号を取得する手段と，
前記取得された電話番号で電話発信を行う手段を備える
ことを特徴とする画像による電話発信機能付き携帯端末。
【請求項３】
カメラ機能を備えた携帯端末であって，
画像を保存する手段と，
あらかじめ登録された登録画像と電話番号とを対応付けて記憶する手段と，
利用者の入力操作により前記保存された画像が呼び出されたときに，前記呼び出された画像を画面に表示する手段と，
利用者の入力操作により電話発信の指示を受けたときに，前記呼び出された画像と前記登録画像とを比較照合し，前記呼び出された画像と一致する登録画像が存在する場合に，その登録画像に対応する電話番号を取得する手段と，
前記取得された電話番号で電話発信を行う手段を備える
ことを特徴とする画像による電話発信機能付き携帯端末。
【請求項４】
請求項１から請求項３までのいずれかに記載された画像による電話発信機能付き携帯端末であって，
前記登録画像と電話番号とを対応付けて記憶する手段は，所定の手続きが行われない限りその情報を閲覧させない
ことを特徴とする画像による電話発信機能付き携帯端末。
【請求項５】
請求項１から請求項３までのいずれかに記載された画像による電話発信機能付き携帯端末であって，
前記登録画像と電話番号とを対応付けて記憶する手段は，登録画像と電話番号との組み合わせのレコードごとにセキュリティ機能を有効にするか無効にするかを指定する設定情報を記憶し，前記設定情報が有効であるレコードについては，所定の手続きが行われない限りその情報を閲覧させない
ことを特徴とする画像による電話発信機能付き携帯端末。
【請求項６】
カメラ機能と，あらかじめ登録された登録画像と電話番号とを対応付けて記憶する手段とを備えた携帯端末による電話発信方法であって，
利用者の入力操作により電話発信の指示を受けたときに，前記カメラ機能によって取り込まれた撮像画像を記憶する過程と，
前記撮像画像と前記登録画像とを比較照合する過程と，
前記撮像画像と一致する登録画像が存在する場合に，その登録画像に対応する電話番号を取得する過程と，
前記取得された電話番号で電話発信を行う過程とを有する
ことを特徴とする画像による電話発信方法。
【請求項７】
カメラ機能と，あらかじめ登録された登録画像と電話番号とを対応付けて記憶する手段とを備えた携帯端末による電話発信方法であって，
利用者の入力操作により画像撮影の指示を受けたときに，前記カメラ機能によって取り込まれた撮像画像を記憶する過程と，
利用者の入力操作により電話発信の指示を受けたときに，前記撮像画像と前記登録画像とを比較照合する過程と，
前記撮像画像と一致する登録画像が存在する場合に，その登録画像に対応する電話番号を取得する過程と，
前記取得された電話番号で電話発信を行う過程とを有する
ことを特徴とする画像による電話発信方法。
【請求項８】
カメラ機能と，画像を保存する手段と，あらかじめ登録された登録画像と電話番号とを対応付けて記憶する手段とを備えた携帯端末による電話発信方法であって，
利用者の入力操作により前記保存された画像が呼び出されたときに，前記呼び出された画像を画面に表示する過程と，
利用者の入力操作により電話発信の指示を受けたときに，前記呼び出された画像と前記登録画像とを比較照合する過程と，
前記呼び出された画像と一致する登録画像が存在する場合に，その登録画像に対応する電話番号を取得する過程と，
前記取得された電話番号で電話発信を行う過程とを有する
ことを特徴とする画像による電話発信方法。
【請求項９】
カメラ機能を備えた携帯端末のコンピュータが実行する電話発信処理であって，
前記コンピュータを，
あらかじめ登録された登録画像と電話番号とを対応付けて記憶する手段と，
利用者の入力操作により電話発信の指示を受けたときに，前記カメラ機能によって取り込まれた撮像画像を記憶する手段と，
利用者の入力操作により電話発信の指示を受けたときに，前記撮像画像と前記登録画像とを比較照合し，前記撮像画像と一致する登録画像が存在する場合に，その登録画像に対応する電話番号を取得する手段と，
前記取得された電話番号で電話発信を行う手段として機能させる
ことを特徴とする画像による電話発信処理プログラム。
【請求項１０】
カメラ機能を備えた携帯端末のコンピュータが実行する電話発信処理であって，
前記コンピュータを，
画像を保存する手段と，
あらかじめ登録された登録画像と電話番号とを対応付けて記憶する手段と，
利用者の入力操作により前記保存された画像が呼び出されたときに，前記呼び出された画像を画面に表示する手段と，
利用者の入力操作により電話発信の指示を受けたときに，前記呼び出された画像と前記登録画像とを比較照合し，前記呼び出された画像と一致する登録画像が存在する場合に，その登録画像に対応する電話番号を取得する手段と，
前記取得された電話番号で電話発信を行う手段として機能させる
ことを特徴とする画像による電話発信処理プログラム。
【発明の詳細な説明】
【技術分野】
【０００１】
本発明は，カメラ機能付き携帯端末による電話発信の技術に関するものであり，特にカメラから取得された画像により電話発信を行うことが可能となる画像による電話発信機能付き携帯端末，画像による電話発信方法および画像による電話発信処理プログラムに関するものである。
【背景技術】
【０００２】
従来，携帯端末から電話を発信する手段としては，
（１）数字ボタンで電話番号を入力し，発信する，
（２）電話帳機能であらかじめ登録された電話番号を呼び出し，発信する，
（３）リダイヤルや着信履歴でディスプレイに電話番号を表示し，発信する，
（４）あらかじめ電話番号を登録した短縮ダイヤルボタンから発信する，
などの手段があった。
【０００３】
なお，本発明に先行する技術が記載された文献としては，例えば特許文献１，特許文献２などがある。特許文献１，特許文献２には，短縮ダイヤルによって発信を行う場合に，あらかじめ短縮ダイヤルに対応して登録された静止画像を画面に表示する技術が記載されている。
【特許文献１】特開昭６３−０３９２４５号公報
【特許文献２】特開２０００−２５３１２７号公報
【発明の開示】
【発明が解決しようとする課題】
【０００４】
携帯端末で電話を発信する場合において，電話番号という数字は頭に記憶しにくいため，特に子供やお年寄りなどには，発信する電話番号を入力して電話を発信することが容易ではなかった。ワンタッチボタン（短縮ダイヤルボタン）によって電話を発信することができる携帯端末もあるが，どのボタンにどの電話番号を登録したかを忘れてしまうことも多い。最近では電話帳機能に登録可能な電話番号の件数もかなり多くなってきているため，その検索に手間がかかり，電話帳機能を用いて電話を発信することも容易ではなくなってきている。また，電話帳機能や短縮ダイヤルボタンに登録された電話番号は第三者でも容易に利用することができるので，セキュリティの面でも問題があった。
【０００５】
なお，上記の特許文献１，特許文献２に記載された技術は短縮ダイヤルによる電話の誤発信を防ぐことを目的としており，これらの技術では，上記の問題点を解決することはできない。
【０００６】
本発明は，上記の問題点の解決を図り，携帯端末による電話発信において，利用者の記憶に直結しやすい情報を用いて簡単に電話発信を行うことが可能となり，また，携帯端末に登録された電話番号で第三者が容易に電話発信できないようにすることが可能となる技術を提供することを目的とする。
【課題を解決するための手段】
【０００７】
本発明は，上記の課題を解決するため，利用者により携帯端末の発信ボタンが押下されたときに，カメラにより撮影された画像や画面に呼び出された画像と，携帯端末にあらかじめ電話番号と対応付けられて登録された画像とを比較照合し，一致すると判定された場合に，その一致する登録画像に対応付けられた電話番号に発信することを特徴とする。
【０００８】
具体的には，本発明は，カメラ機能を備えた携帯端末であって，あらかじめ登録された登録画像と電話番号とを対応付けて記憶する手段と，利用者の入力操作により電話発信の指示を受けたときに，カメラ機能によって取り込まれた撮像画像を記憶する手段と，利用者の入力操作により電話発信の指示を受けたときに，撮像画像と登録画像とを比較照合し，撮像画像と一致する登録画像が存在する場合に，その登録画像に対応する電話番号を取得する手段と，取得された電話番号で電話発信を行う手段を備えることを特徴とする。
【０００９】
また，本発明は，カメラ機能を備えた携帯端末であって，あらかじめ登録された登録画像と電話番号とを対応付けて記憶する手段と，利用者の入力操作により画像撮影の指示を受けたときに，カメラ機能によって取り込まれた撮像画像を記憶する手段と，利用者の入力操作により電話発信の指示を受けたときに，撮像画像と登録画像とを比較照合し，撮像画像と一致する登録画像が存在する場合に，その登録画像に対応する電話番号を取得する手段と，取得された電話番号で電話発信を行う手段を備えることを特徴とする。
【００１０】
また，本発明は，カメラ機能を備えた携帯端末であって，画像を保存する手段と，あらかじめ登録された登録画像と電話番号とを対応付けて記憶する手段と，利用者の入力操作により保存された画像が呼び出されたときに，呼び出された画像を画面に表示する手段と，利用者の入力操作により電話発信の指示を受けたときに，呼び出された画像と登録画像とを比較照合し，呼び出された画像と一致する登録画像が存在する場合に，その登録画像に対応する電話番号を取得する手段と，取得された電話番号で電話発信を行う手段を備えることを特徴とする。
【００１１】
これにより，あらかじめ発信先の電話番号とその発信先を連想しやすい画像とを対応付けて登録しておき，その登録画像と一致すると判定される画像（類似度が高い画像）をカメラで写した状態で，または画面に表示させた状態で発信ボタンを押すだけで，対応する発信先に電話をかけることができるようになる。小さな子供やお年寄りでも，それぞれが記憶しやすいものの画像を使って電話をかけることができるようになる。
【００１２】
また，本発明は，上記のカメラ機能を備えた携帯端末であって，上記の登録画像と電話番号との対応情報を記憶する手段は，所定の手続きが行われない限りその情報を閲覧させないことを特徴とする。
【００１３】
これにより，携帯端末に登録された画像と電話番号の対応情報を第三者が容易に知ることができなくなるため，第三者が携帯端末を操作して登録された電話番号で電話発信することを規制することができる。
【００１４】
また，本発明は，上記のカメラ機能を備えた携帯端末であって，上記の登録画像と電話番号との対応情報を記憶する手段は，登録画像と電話番号との組み合わせのレコードごとにセキュリティ機能を有効にするか無効にするかを指定する設定情報を記憶し，その設定情報が有効であるレコードについては，所定の手続きが行われない限りその情報を閲覧させないことを特徴とする。
【００１５】
これにより，従来の携帯電話の電話帳機能に本発明の登録画像と電話番号との対応情報を加えても，電話帳機能により閲覧可能な電話番号と，閲覧不可能な電話番号とを設定することにより，第三者が携帯端末を操作して登録された電話番号で電話発信することを規制することができる。
【００１６】
以上説明した携帯端末による処理は，コンピュータとソフトウェアプログラムとによって実現することができ，そのプログラムをコンピュータ読み取り可能な記録媒体に記録することも，ネットワークを通して提供することも可能である。
【発明の効果】
【００１７】
本発明により，小さな子どもからお年寄りまで，それぞれの記憶しやすいものの画像を用いて電話をかけることができるようになる。また，セキュリティ機能により，登録された画像に対応するものをカメラで写さないかぎり，その登録された画像に対応する電話番号に発信することができないため，第三者が勝手に操作して発信することを規制することができる。
【発明を実施するための最良の形態】
【００１８】
以下，本発明の実施の形態について，図を用いて説明する。
【００１９】
〔実施の形態１〕
図１は，本発明の実施の形態１による携帯端末の構成例を示す図である。携帯端末１００は，画像撮影処理部１０１，画面表示処理部１０２，入力操作処理部１０３，画像登録処理部１０４，カメラ機能発信電話帳１０５，画像比較処理部１０６，呼制御部１０７，無線制御部１０８，カメラ１２０，ディスプレイ１３０，入力キー１４０を備える。
【００２０】
画像撮影処理部１０１は，カメラ１２０から取り込まれた画像を処理する。画面表示処理部１０２は，ディスプレイ１３０に画像や電話番号などを表示する。入力操作処理部１０３は，入力キー１４０による入力操作を受け付ける。
【００２１】
画像登録処理部１０４は，カメラ１２０によって撮影された画像を電話番号に対応付けてカメラ機能発信電話帳１０５に登録する。カメラ機能発信電話帳１０５は，登録された画像と電話番号とが対応付けられた情報を記録する。
【００２２】
画像比較処理部１０６は，カメラ１２０から取得された画像のデータと，カメラ機能発信電話帳１０５に登録されている各画像データとを比較し，一致すると判定される画像が存在する場合に，その一致すると判定された画像に対応する電話番号を取得する。呼制御部１０７は，発信する電話番号を用いて呼制御を行う。無線制御部１０８は，携帯端末１００の無線制御を行う。
【００２３】
図２は，携帯端末の外観の例を示す図である。図２の例は，折りたたみ式の携帯端末１００の例である。カメラ１２０は，携帯端末１００に内蔵されたデジタルカメラである。図２では，折りたたみ式の携帯端末１００を開いた内側のカメラ１２０が示されているが，その背面（外側）にもカメラ１２０が存在する。ディスプレイ１３０は，携帯端末１００の表示画面である。入力キー１４０は，数字や文字を入力するキーや，確定キー（撮影キー）１４１，発信キー１４２など，利用者が携帯端末１００での様々な操作を行うボタンである。
【００２４】
図３は，本実施の形態によるカメラ機能発信電話帳のデータ構成の例を示す図である。カメラ機能発信電話帳１０５は，画像データ，電話番号などの情報から構成される。画像データは，画像登録処理部１０４により登録された画像のデータである。電話番号は，登録された画像に対応付けられた電話番号である。
【００２５】
このカメラ機能発信電話帳１０５を簡単に閲覧できないように，ロック制御をかけるなど，セキュリティ機能を設けることもできる。このとき，携帯端末１００の所有者が，暗証番号等を入力するなどしてロックを解除しない限り，カメラ機能発信電話帳１０５に登録された画像や電話番号を閲覧することはできない。そのため，従来から携帯電話で利用されている電話帳と異なり，第三者が携帯端末１００のカメラ機能発信電話帳１０５に登録された電話番号で容易に電話発信をすることができなくなる。
【００２６】
携帯端末１００の利用者は，あらかじめカメラ機能発信電話帳１０５への画像登録を行っておく。利用者がカメラ１２０を起動すると，画像撮影処理部１０１はカメラ１２０から画像を取り込み，画面表示処理部１０２は取り込まれた画像をディスプレイ１３０に表示する。利用者は，ディスプレイ１３０に表示された画像を確認し，確定キー（撮影キー）１４１により，登録したい画像を確定（撮影）する。メニュー機能などにより，カメラ機能発信電話帳１０５への画像登録が選択されると，画像登録処理部１０４は，確定（撮影）された画像と，さらに利用者により入力された電話番号とを対応付けて，カメラ機能発信電話帳１０５に登録する。
【００２７】
画像から電話を発信する場合には，利用者は，カメラ１２０を起動する。画像撮影処理部１０１はカメラ１２０から画像を取り込み，画面表示処理部１０２は取り込まれた画像をディスプレイ１３０に表示する。利用者は，ディスプレイ１３０に表示された画像を確認し，電話発信に必要な画像がディスプレイ１３０に表示された状態で，発信キー１４２を押下する。画像撮影処理部１０１は，発信キー１４２が押下された時点でカメラ１２０から取り込まれた画像を取得する。
【００２８】
なお，このとき，確定キー（撮影キー）１４１により画像を確定（撮影）してから発信キー１４２を押下するようにしてもよい。この場合，画像撮影処理部１０１は，確定キー（撮影キー）１４１により確定（撮影）され，ディスプレイ１３０に表示された画像を取得する。
【００２９】
発信キー１４２が押下されると，画像比較処理部１０６は，取得された画像のデータと，カメラ機能発信電話帳１０５に登録されている各画像データとの画像照合処理を行う。画像照合処理の結果，一致すると判定された画像が存在する場合には，カメラ機能発信電話帳１０５からその一致すると判定された画像に対応する電話番号を取得する。呼制御部１０７，無線制御部１０８により，取得された電話番号を用いた電話発信を行う。
【００３０】
図４は，本実施の形態１による画像による電話発信処理フローチャートである。まず，カメラ１２０が起動されると（ステップＳ１０），画像撮影処理部１０１はカメラ１２０から画像を取り込み（ステップＳ１１），画面表示処理部１０２はカメラ１２０から取り込まれた画像をディスプレイ１３０に表示する（ステップＳ１２）。
【００３１】
ディスプレイ１３０に画像が表示された状態で発信キー１４２が押下されると（ステップＳ１３），画像比較処理部１０６は，そのときカメラ１２０から取得された画像のデータと，カメラ機能発信電話帳１０５に登録された各画像データとの画像照合処理を行う（ステップＳ１４）。画像照合処理により，カメラ機能発信電話帳１０５にカメラ１２０から取得された画像と一致すると判定された画像が存在する場合には（ステップＳ１５），カメラ機能発信電話帳１０５から一致すると判定された画像に対応する電話番号を取得し（ステップＳ１６），呼制御部１０７，無線制御部１０８は，取得された電話番号への発信処理を行う（ステップＳ１７）。
【００３２】
図５は，本実施の形態の画像比較処理部による画像照合処理フローチャートである。図４のステップＳ１４における画像照合処理の手法としては，様々な手法が考えられる。ここでは，図５を用いて，グラフマッチングを用いた手法による画像照合処理の例を説明する。
【００３３】
画像比較処理部１０６は，カメラ１２０により取得された画像（ａ）と，カメラ機能発信電話帳１０５に登録された画像（ｂ）とに対して，輪郭強調処理を行う（ステップＳ２０）。輪郭強調処理については周知技術であるため，ここでは具体的な説明を省略する。図５において，（ｃ）は（ａ）に輪郭強調処理を施したものであり，（ｄ）は（ｂ）に輪郭強調処理を施したものである。
【００３４】
グラフマッチングにより，輪郭強調処理を施された取得画像と，輪郭強調処理を施された登録画像とを比較する（ステップＳ２１）。グラフマッチングの処理については周知技術であるため，ここでは具体的な説明を省略する。グラフマッチングでは，グラフ構造化された画像間の距離が近い場合には類似度が高いとし，遠い場合には類似度が低いとする。図５において，（ｅ）は（ｃ）をグラフ構造としたものであり，（ｆ）は（ｄ）をグラフ構造としたものである。
【００３５】
グラフマッチングによる比較の結果，カメラ１２０から取得された画像と，カメラ機能発信電話帳１０５に登録された画像とが一致するか否かを判定する（ステップＳ２２）。ここでは，閾値などを用い，双方の画像の類似度が高い場合には一致するものと判定し，双方の類似度が低い場合には一致しないものと判定する。一致すれば判定結果を一致とし（ステップＳ２３），一致しなければ判定結果を不一致とする（ステップＳ２４）。
【００３６】
このような画像照合処理を，カメラ機能発信電話帳１０５に登録されたすべての画像について実行する。
【００３７】
〔実施の形態２〕
前述の実施の形態１では，従来の携帯電話等で利用されてきた電話番号をあらかじめ登録しておく電話帳とは別に，カメラ機能発信電話帳１０５を用意した場合について説明した。このようなカメラ機能発信電話帳１０５の機能を，従来の電話帳に持たせることも可能である。
【００３８】
図６は，本発明の実施の形態２による携帯端末の構成例を示す図である。携帯端末１００’は，画像撮影処理部１０１，画面表示処理部１０２，入力操作処理部１０３，画像登録処理部１０４，画像比較処理部１０６，呼制御部１０７，無線制御部１０８，電話帳１０９，カメラ１２０，ディスプレイ１３０，入力キー１４０を備える。
【００３９】
画像撮影処理部１０１，画面表示処理部１０２，入力操作処理部１０３，呼制御部１０７，無線制御部１０８については，前述の実施の形態１と同様である。また，携帯端末１００’の外観は図２に示す通りであるとし，カメラ１２０，ディスプレイ１３０，入力キー１４０，確定キー（撮影キー）１４１，発信キー１４２などについても，前述の実施の形態１と同様である。
【００４０】
画像登録処理部１０４は，カメラ１２０によって撮影された画像を，電話帳１０９の該当レコードに登録する。電話帳１０９は，従来の電話帳機能に前述の実施の形態１のカメラ機能発信電話帳１０５の機能を加えたものである。画像比較処理部１０６は，カメラ１２０から取得された画像のデータと，電話帳１０９に登録されている各レコードの画像データとを比較し，一致すると判定された画像が存在する場合に，その画像に対応する電話番号を取得する。
【００４１】
図７は，本実施の形態による電話帳のデータ構成の例を示す図である。電話帳１０９は，登録番号，名前，電話番号，メールアドレス，画像データ，セキュリティフラグなどの情報から構成される。登録番号は，電話帳１０９の各レコードを一意に識別するための識別情報である。名前は，そのレコードに登録された電話番号を持つ人，施設，団体の名前などである。電話番号は，そのレコードに登録された電話番号である。メールアドレスは，そのレコードに登録された人，施設，団体などのメールアドレスである。画像データは，画像登録処理部１０４により登録された画像のデータである。
【００４２】
セキュリティフラグは，そのレコードについて，セキュリティ機能を有効（ＯＮ）にするか無効（ＯＦＦ）にするかを指定する設定情報である。セキュリティ機能が有効（ＯＮ）となっているレコードについては，ロック制御がかけられ，暗証番号を入力するなどしてロックを解除しない限り，そのレコードを閲覧することはできない。セキュリティ機能が無効（ＯＦＦ）となっているレコードについては，通常の電話帳として，閲覧，利用することができる。なお，セキュリティ機能が必要ない場合には，電話帳１０９にセキュリティフラグは必要ない。
【００４３】
図７において，例えば，登録番号１の○藤通男さんについては，従来の携帯電話同様の電話帳登録のみであるので，画像を用いて電話発信をすることはできない。登録番号２の富士○子さんについては，カメラ１２０で指輪の画像を取り込み，その画像から電話発信を行うことができる。また，セキュリティフラグがＯＮであるので，ロックを解除しない限り，富士○子さんの電話番号を従来の電話帳機能で呼び出すことはできない。登録番号３の○○眼科については，カメラ１２０で右目の画像を取り込み，その画像から電話発信を行うことができる。また，セキュリティフラグがＯＦＦであるので，○○眼科さんの電話番号を従来の電話帳機能で呼び出すこともできる。
【００４４】
携帯端末１００’の利用者は，あらかじめ電話帳１０９への画像登録を行っておく。利用者がカメラ１２０を起動すると，画像撮影処理部１０１はカメラ１２０から画像を取り込み，画面表示処理部１０２は取り込まれた画像をディスプレイ１３０に表示する。利用者は，ディスプレイ１３０に表示された画像を確認し，確定キー（撮影キー）１４１により，登録したい画像を確定（撮影）する。メニュー機能などにより，電話帳１０９への画像登録が選択されると，画像登録処理部１０４は，確定された画像を利用者から指定された電話帳１０９のレコードに登録する。
【００４５】
画像から電話を発信する場合には，利用者は，カメラ１２０を起動する。画像撮影処理部１０１はカメラ１２０から画像を取り込み，画面表示処理部１０２は取り込まれた画像をディスプレイ１３０に表示する。利用者は，ディスプレイ１３０に表示された画像を確認し，電話発信に必要な画像がディスプレイ１３０に表示された状態で，発信キー１４２を押下する。画像撮影処理部１０１は，発信キー１４２が押下された時点でカメラ１２０から取り込まれた画像を取得する。
【００４６】
なお，このとき，確定キー（撮影キー）１４１により画像を確定（撮影）してから発信キー１４２を押下するようにしてもよい。この場合，画像撮影処理部１０１は，確定キー（撮影キー）１４１により確定（撮影）され，ディスプレイ１３０に表示された画像を取得する。
【００４７】
発信キー１４２が押下されると，画像比較処理部１０６は，取得された画像のデータと，電話帳１０９に登録されている各レコードの画像データとの画像照合処理を行う。画像照合処理の結果，一致すると判定された画像が存在する場合には，電話帳１０９からその一致すると判定された画像が登録されたレコードの電話番号の情報を取得する。呼制御部１０７，無線制御部１０８により，取得された電話番号を用いた電話発信を行う。
【００４８】
〔実施の形態３〕
前述の実施の形態１，実施の形態２では，カメラ１２０からそのときに取得した画像を用いて電話発信を行う場合について説明した。携帯電話の画像用フォルダに既に保存されている画像を用いて，電話発信を行うようにすることも可能である。
【００４９】
図８は，本発明の実施の形態３による携帯端末の構成例を示す図である。携帯端末１００”は，画像撮影処理部１０１，画面表示処理部１０２，入力操作処理部１０３，画像登録処理部１０４，カメラ機能発信電話帳１０５，画像比較処理部１０６，呼制御部１０７，無線制御部１０８，画像用フォルダ１１０，カメラ１２０，ディスプレイ１３０，入力キー１４０を備える。
【００５０】
画像撮影処理部１０１，画面表示処理部１０２，入力操作処理部１０３，画像登録処理部１０４，カメラ機能発信電話帳１０５，呼制御部１０７，無線制御部１０８については，前述の実施の形態１と同様である。また，携帯端末１００”の外観は図２に示す通りであるとし，カメラ１２０，ディスプレイ１３０，入力キー１４０，確定キー（撮影キー）１４１，発信キー１４２などについても，前述の実施の形態１と同様である。
【００５１】
画像比較処理部１０６は，画像用フォルダ１１０に保存され，利用者から呼び出された画像のデータと，カメラ機能発信電話帳１０５に登録されている各画像データとを比較し，一致すると判定された画像が存在する場合に，その画像に対応する電話番号を取得する。画像用フォルダ１１０には，以前カメラ１２０で撮影された画像や，サイトからダウンロードされた画像などが保存されている。
【００５２】
携帯端末１００”の利用者は，あらかじめカメラ機能発信電話帳１０５への画像登録を行っておく。利用者が画像用フォルダ１１０から画像を呼び出すと，画面表示処理部１０２は呼び出された画像をディスプレイ１３０に表示する。メニュー機能などにより，カメラ機能発信電話帳１０５への画像登録が選択されると，画像登録処理部１０４は，呼び出された画像と，さらに利用者により入力された電話番号とを対応付けて，カメラ機能発信電話帳１０５に登録する。なお，カメラ１２０で撮影した画像を画像用フォルダ１１０に保存するときに，同時にカメラ機能発信電話帳１０５に登録を行うようにしてもよい。
【００５３】
画像から電話を発信する場合には，利用者は，画像用フォルダ１１０から画像を呼び出す。画面表示処理部１０２は，呼び出された画像をディスプレイ１３０に表示する。利用者は，ディスプレイ１３０に表示された画像を確認し，電話発信に必要な画像がディスプレイ１３０に表示された状態で，発信キー１４２を押下する。
【００５４】
発信キー１４２が押下されると，画像比較処理部１０６は，画像用フォルダから呼び出された画像のデータと，カメラ機能発信電話帳１０５に登録されている各画像データとの画像照合処理を行う。画像照合処理の結果，一致すると判定された画像が存在する場合には，カメラ機能発信電話帳１０５からその一致すると判定された画像に対応する電話番号を取得する。呼制御部１０７，無線制御部１０８により，取得された電話番号を用いた電話発信を行う。
【００５５】
以上，本発明の実施の形態１〜３について説明したが，本発明はこれらの実施の形態に限られるものではない。例えば，実施の形態３において，カメラ機能発信電話帳１０５の代わりに実施の形態２の電話帳１０９を用いてもよい。
【実施例】
【００５６】
以下，本発明の画像による電話発信機能付き携帯端末の利用例をいくつか紹介する。
【００５７】
＜利用例１＞
あらかじめ自分の右目を携帯電話内蔵のカメラで撮影し，得られた画像を行きつけの眼科の電話番号と対応付けて，携帯電話に登録しておく。その眼科に予約の電話を入れるときに，携帯電話内蔵のカメラを起動し，自分の右目をディスプレイに表示した状態（カメラで自分の右目を写した状態）で，発信ボタンを押す。携帯電話は，あらかじめ登録されている右目の画像と，そのときカメラから得られた画像とを照合して一致することを確認し，その画像に対応する眼科の電話番号に自動的に発信する。
【００５８】
このように，眼科に電話をかける場合には目といったイメージしやすい情報をもとに，電話をかけることができるようになる。
【００５９】
＜利用例２＞
小さな子供の携帯電話に，パパのぬいぐるみとママのぬいぐるみが付いたストラップを取り付ける。あらかじめ携帯電話内蔵のカメラでそれぞれぬいぐるみを撮影し，得られたパパのぬいぐるみの画像に父親の携帯電話の電話番号を，ママのぬいぐるみの画像に母親の携帯電話の電話番号を対応付けて，携帯電話に登録しておく。子供が父親に電話をかけたいときには，ストラップに付いているパパのぬいぐるみを携帯電話内蔵のカメラで写しながら発信ボタンを押すだけで，父親に電話をかけることができる。子供が母親に電話をかけたいときには，ストラップに付いているママのぬいぐるみを携帯電話内蔵のカメラで写しながら発信ボタンを押すだけで，母親に電話をかけることができる。
【００６０】
このように，本発明によって，子供にとって親しみやすいマスコットで，子供が電話をかけることができるようになる。
【００６１】
＜利用例３＞
友人からもらったアクセサリを携帯電話内蔵のカメラで撮影し，得られた画像をそのアクセサリをくれた友人の電話番号と対応付けて，携帯電話に登録しておく。このとき，登録されたアクセサリの画像やそのアクセサリをくれた友人の電話番号は，セキュリティ機能により，暗証番号なしでは閲覧できないようになっている。普段は，友人がくれたアクセサリを身に着けるようにする。身に着けたアクセサリを携帯電話内蔵のカメラで写しながら発信ボタンを押すことにより，そのアクセサリをくれた友人に電話をかけることができる。
【００６２】
このように，従来の電話帳のように登録された電話番号を表示しなくても，簡単に登録された電話番号に電話をかけることができる。さらにセキュリティ機能によって，第三者が簡単に登録画像や電話番号を閲覧できなくなり，また，第三者が簡単に登録された電話番号に電話をかけることができなくなる。例えば，携帯電話を落としてしまった場合でも，友人からもらったアクセサリを携帯電話と一緒に落とさなければ，落とした携帯電話を拾った第三者がアクセサリをくれた友人に電話をかけることができない。
【図面の簡単な説明】
【００６３】
【図１】本発明の実施の形態１による携帯端末の構成例を示す図である。
【図２】携帯端末の外観の例を示す図である。
【図３】本実施の形態によるカメラ機能発信電話帳のデータ構成の例を示す図である。
【図４】本実施の形態１による画像による電話発信処理フローチャートである。
【図５】本実施の形態の画像比較処理部による画像照合処理フローチャートである。
【図６】本発明の実施の形態２による携帯端末の構成例を示す図である。
【図７】本実施の形態による電話帳のデータ構成の例を示す図である。
【図８】本発明の実施の形態３による携帯端末の構成例を示す図である。
【符号の説明】
【００６４】
１００，１００’，１００”  携帯端末
１０１  画像撮影処理部
１０２  画面表示処理部
１０３  入力操作処理部
１０４  画像登録処理部
１０５  カメラ機能発信電話帳
１０６  画像比較処理部
１０７  呼制御部
１０８  無線制御部
１０９  電話帳
１１０  画像用フォルダ
１２０  カメラ
１３０  ディスプレイ
１４０  入力キー
１４１  確定キー（撮影キー）
１４２  発信キー
【図１】
2008113261.tif 000003
【図２】
2008113261.tif 000004
【図３】
2008113261.tif 000005
【図４】
2008113261.tif 000006
【図５】
2008113261.tif 000007
【図６】
2008113261.tif 000008
【図７】
2008113261.tif 000009
【図８】
2008113261.tif 000010